(57)【要約】  本発明は、連絡先情報を入力し、ネットワークを介して相手方が提供する情報を取得する方法を開示するものであって、ユーザＡがユーザＢの連絡先情報を入手するステップＡと、ユーザＡがユーザＢの連絡先情報をアドレス帳に入力するステップＢと、ユーザＡがユーザＢの連絡先情報をもとに、連絡先情報サーバーに検索要求を送信するステップＣと、連絡先情報サーバーが、ユーザＡにより提供された連絡先情報をもとに、ユーザＢによって当該サーバーに保存された、前記連絡先情報に関連付けられた情報を検出可能か否かを検索して、検出可能な場合は関連情報をユーザＡにフィードバックし、検出不可能な場合はユーザＡに関連情報が存在しない旨を通知するステップＤとを含む。本発明では、名刺では決まった数やサイズの文字、図でしか情報を伝達できないとの制限が克服され、名刺に掲載される伝達情報量および情報の表現形式が拡大される。
2013540301.tif 000002
【特許請求の範囲】
【請求項１】
連絡先情報を入力しネットワークを介して相手方が提供する情報を取得する方法であって、
ユーザＡがユーザＢの連絡先情報を入手するステップＡと、
ユーザＡがユーザＢの連絡先情報をアドレス帳に入力するステップＢと、
ユーザＡがユーザＢの連絡先情報をもとに、連絡先情報サーバーに検索要求を送信するステップＣと、
連絡先情報サーバーが、ユーザＡにより提供された連絡先情報をもとに、ユーザＢによって当該サーバーに保存された、前記連絡先情報に関連付けられた情報を検出可能か否かを検索し、検出可能な場合はステップＥに進み、検出不可能な場合はステップＦに進むステップＤと、
連絡先情報サーバーが、ユーザＢによって当該ウェブサイト上に保存された、前記連絡先情報に関連付けられた情報をユーザＡにフィードバックするステップＥと、
連絡先情報サーバーが、前記連絡先情報に関連付けられた提供可能な情報は存在しない旨をフィードバックするステップＦと、
終了のためのステップＧとを含むことを特徴とする、連絡先情報を入力しネットワークを介して相手方が提供する情報を取得する方法。
【請求項２】
前記ステップＢにおいて、ユーザＡがユーザＢの連絡先情報をアドレス帳に入力する方法としては、ユーザＡがユーザＢの連絡先情報をダイレクトに手入力する方法と、ユーザＡがユーザＢの連絡先情報を含む画像を撮影またはスキャンし、文字認識ソフトを用いて当該画像中の情報を取り出す方法のいずれかであることを特徴とする、請求項１に記載の連絡先情報を入力しネットワークを介して相手方が提供する情報を取得する方法。
【請求項３】
前記ステップＤにおいて、連絡先情報サーバーは、ユーザＡにより提供された連絡先情報をもとに、ユーザＢによって当該サーバーに保存された、前記連絡先情報に関連付けられたマルチメディア情報を検出可能か否かを検索し、
連絡先情報サーバーは、ユーザＢが連絡先情報サーバーの登録ユーザであるか否か、ユーザＢが当該名刺に関連付けられた情報を保存しているか否か、ユーザＢが要求を提示した他のユーザにこれら情報の取得を許可するか否かを判断する必要があることを特徴とする、請求項１に記載の連絡先情報を入力しネットワークを介して相手方が提供する情報を取得する方法。
【請求項４】
前記連絡先情報サーバーによるユーザＢの検索方法として、
連絡先情報サーバーの登録ユーザによって保存された名刺情報を取得するステップＤ１と、
ユーザＡにより提供された名刺の文字情報に含まれる氏名、電話番号、携帯電話番号、ファックス番号、Ｅメール情報と、前記名刺情報における対応項目の情報とをひとつずつ比較し、情報が完全に一致する項目数と、文字がわずかに一致しないだけの項目数を算出するステップＤ２と、
ユーザＡによって提供された名刺の文字情報が前記登録ユーザによって保存された名刺情報に相当するか否かを判断し、相当する場合はステップＤ４に進み、相当しない場合はステップＤ７に進むステップＤ３と、
当該名刺を保存したユーザが、当該名刺に関連付けられたマルチメディア情報を保存しているか否かを判断して、保存していればステップＤ５に進み、保存していなければステップＤ８に進むステップＤ４と、
当該名刺を保存したユーザが、要求を提示したユーザＡにこれら情報の取得を許可するか否かを判断して、許可する場合にはステップＤ６に進み、許可しない場合はステップＤ８に進むステップＤ５と、
名刺の持ち主によって当該ウェブサイト上に保存された、当該名刺に関連付けられたマルチメディア情報が検出された旨をフィードバックし、終了のためにステップＤ９に進むステップＤ６と、
当該ウェブサイトのすべての登録ユーザによって保存された名刺情報について検索が行われたか否かを判断し、すべての検索が行われた場合はステップＤ８に進み、すべての検索が行われていない場合はステップＤ１に戻って、当該ウェブサイトにおける次の登録ユーザによって保存された名刺情報を取得、比較するステップＤ７と、
検索されなかった旨をフィードバックし、終了のためにステップＤ９に進むステップＤ８と、
終了のためのステップＤ９とを含むことを特徴とする、請求項３に記載の連絡先情報を入力しネットワークを介して相手方が提供する情報を取得する方法。
【請求項５】
前記ステップＤ２における文字がわずかに一致しないだけとは、一致しない文字数が当該項目における総文字数の８分の１を超えないことであることを特徴とする、請求項４に記載の、連絡先情報を入力しネットワークを介して相手方が提供する情報を取得する方法。
【請求項６】
前記ステップＤ３において、ユーザＡにより提供された名刺の文字情報が前記登録ユーザによって保存された名刺情報に相当するか否かを判断する方法としては、
完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には前記登録ユーザによって保存された名刺情報に相当しないと認定されることを特徴とする、請求項４に記載の連絡先情報を入力しネットワークを介して相手方が提供する情報を取得する方法。
【請求項７】
前記ステップＥにおいて、連絡先情報サーバーは、名刺の持ち主であるユーザＢによって当該ウェブサイト上に保存された、当該名刺に関連付けられたマルチメディア情報をユーザＡにフィードバックし、
前記マルチメディア情報をフィードバックする方法としては、ユーザＡが前記マルチメディア情報と関連したマルチメディアファイルをすべてダウンロードすることによって、ネットワークに接続しなくとも情報を閲覧可能とするか、あるいは、前記マルチメディア情報に関連したネットワークリンクをユーザＡにフィードバックし、ユーザＡがネットワークと接続しなければ情報を閲覧できないようにすることを特徴とする、請求項１に記載の連絡先情報を入力しネットワークを介して相手方が提供する情報を取得する方法。
【請求項８】
連絡先情報を入力しネットワークを介して相手方が提供する情報を取得する方法であって、
ユーザＡがユーザＢの名刺を入手するステップ１０１と、
ユーザＡがユーザＢの名刺の情報をアドレス帳に入力するステップ１０２と、
ユーザＡがユーザＢの名刺中の文字情報に基づき、相手情報を保持するウェブサイトｓｉｔｅＣのサーバーに検索要求を送信するステップ１０３と、
相手情報を保持するウェブサイトｓｉｔｅＣのサーバーが、ユーザＡにより提供された名刺の文字情報をもとに、名刺の持ち主であるユーザＢによって当該ウェブサイトに保存された、当該名刺に関連付けられたマルチメディア情報を検出可能か否かを検索し、検出可能な場合はステップ１０５に進み、検出不可能な場合はステップ１０６に進むステップ１０４と、
ウェブサイトｓｉｔｅＣのサーバーが、名刺の持ち主であるユーザＢによって当該ウェブサイト上に保存された、当該名刺に関連付けられたマルチメディア情報をユーザＡにフィードバックするステップ１０５と、
ウェブサイトｓｉｔｅＣのサーバーが、前記名刺に関連付けられた提供可能な情報は存在しない旨をフィードバックするステップ１０６と、
終了のためのステップ１０７とを含むことを特徴とする、連絡先情報を入力しネットワークを介して相手方が提供する情報を取得する方法。
【請求項９】
前記ステップ１０２において、ユーザＡがユーザＢの名刺の情報をアドレス帳に入力する方法としては、ユーザＡがユーザＢの名刺の情報をダイレクトに手入力する方法と、ユーザＡがユーザＢの名刺画像を撮影し、名刺認識ソフトを用いてユーザＢの名刺画像中の情報を取り出す方法のいずれかであることを特徴とする、請求項８に記載の連絡先情報を入力しネットワークを介して相手方が提供する情報を取得する方法。
【請求項１０】
前記ステップ１０４において、相手情報を保持するウェブサイトｓｉｔｅＣのサーバーは、ユーザＡによって提供された名刺の文字情報をもとに、名刺の持ち主であるユーザＢによって当該ウェブサイトに保存された、当該名刺に関連付けられたマルチメディア情報を検出可能か否かを検出するとともに、ウェブサイトｓｉｔｅＣのサーバーは、名刺の持ち主であるユーザＢがウェブサイトｓｉｔｅＣの登録ユーザであるか否か、名刺の持ち主であるユーザＢが当該名刺に関連付けられた情報を保存しているか否か、名刺の持ち主であるユーザＢが要求をしてきたユーザＡにこれら情報の取得を許可するか否かを判断する必要があることを特徴とする、請求項８に記載の連絡先情報を入力しネットワークを介して相手方が提供する情報を取得する方法。
【請求項１１】
前記ウェブサイトｓｉｔｅＣのサーバーによるユーザＢの検索方法として、
当該ウェブサイトの登録ユーザによって保存された一枚の名刺の情報を取得するステップ２０１と、
ユーザＡにより提供された名刺の文字情報に含まれる氏名、電話番号、携帯電話番号、ファックス番号、Ｅメール情報と、前記名刺の情報における対応項目の情報とをひとつずつ比較し、何項目の情報が完全に一致し、何項目の情報が文字がわずかに一致しないだけなのかを把握するステップ２０２と、
ユーザＡにより提供された名刺の文字情報が前記登録ユーザによって保存された名刺の情報に相当するか否かを判断し、相当する場合はステップ２０４に進み、相当しない場合はステップ２０７に進むステップ２０３と、
当該名刺を保存したユーザが、当該名刺に関連付けられたマルチメディア情報を保存しているか否かを判断し、保存していればステップ２０５に進み、保存していなければステップ２０８に進むステップ２０４と、
当該名刺を保存したユーザが、要求を提示したユーザＡにこれら情報の取得を許可するか否かを判断して、許可する場合にはステップ２０６に進み、許可しない場合はステップ２０８に進むステップ２０５と、
名刺の持ち主によって当該ウェブサイト上に保存された、当該名刺に関連付けられたマルチメディア情報が検出された旨をフィードバックし、終了のためにステップ２０９に進むステップ２０６と、
当該ウェブサイトのすべての登録ユーザによって保存された名刺情報について検索が行われたか否かを判断し、すべての検索が行われた場合はステップ２０８に進み、すべての検索が行われていない場合はステップ２０１に戻り、当該ウェブサイトにおける次の登録ユーザによって保存された名刺情報を取得、比較するステップ２０７と、
検索されなかった旨をフィードバックし、終了のためにステップ２０９に進むステップ２０８と、
終了のためのステップ２０９とを含むことを特徴とする、請求項８に記載の連絡先情報を入力しネットワークを介して相手方が提供する情報を取得する方法。
【請求項１２】
前記ステップ２０２における文字がわずかに一致しないだけとは、一致しない文字数が当該項目における総文字数の８分の１を超えないことであり、
前記ステップ２０３において、ユーザＡにより提供された名刺の文字情報が前記登録ユーザによって保存された名刺情報に相当するか否かを判断する方法としては、完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には、前記登録ユーザによって保存された名刺情報に相当しないと認定されることを特徴とする、請求項９に記載の連絡先情報を入力しネットワークを介して相手方が提供する情報を取得する方法。
【請求項１３】
前記ステップ１０５において、ウェブサイトｓｉｔｅＣのサーバーは、名刺の持ち主であるユーザＢによって当該ウェブサイト上に保存された、当該名刺に関連付けられたマルチメディア情報をユーザＡにフィードバックし、
当該マルチメディア情報をフィードバックする方法としては、ユーザＡが前記マルチメディア情報に関連したマルチメディアファイルをすべてダウンロードすることによって、ネットワークに接続しなくとも情報を閲覧可能とするか、あるいは、前記マルチメディア情報に関連したネットワークリンクをユーザＡにフィードバックし、ユーザＡがネットワークと接続しなければ情報を閲覧できないようにすることを特徴とする、請求項８に記載の連絡先情報を入力しネットワークを介して相手方が提供する情報を取得する方法。
【請求項１４】
連絡先情報を入力しネットワークを介して相手方が提供する情報を取得する方法であって、
ユーザＡがユーザＢの連絡先情報を入手するステップＡと、
ユーザＡがユーザＢの連絡先情報をアドレス帳に入力するステップＢと、
ユーザＡがユーザＢの連絡先情報をもとに、連絡先情報サーバーに検索要求を送信するステップＣと、
連絡先情報サーバーが、ユーザＡにより提供された連絡先情報をもとに、ユーザＢによって当該サーバーに保存された、前記連絡先情報に関連付けられた情報を検出可能か否かを検索し、検出可能な場合は関連情報をユーザＡにフィードバックし、検出不可能な場合はユーザＡに関連情報が存在しない旨を通知するステップＤ’を含むことを特徴とする、連絡先情報を入力しネットワークを介して相手方が提供する情報を取得する方法。
【発明の詳細な説明】
【技術分野】
【０００１】
本発明は、コンピュータネットワーク分野における情報提供方法に関し、特に、連絡先情報を入力し、ネットワークを介して相手方が提供する情報を取得する方法に関する。
【背景技術】
【０００２】
名刺は、連絡方法を記載して伝達するために頻繁に用いられる媒体であり、日常的に、ビジネス活動においては大量の名刺交換が行われている。人々は、名刺交換によって連絡方法を伝達し合い、他者とのコネクションを構築する。
【０００３】
一方、日常生活においては、各種ソーシャルネットワークサイトの利用も非常に普及しており、中国国内ではＱＱや開心網が、国外ではｆａｃｅｂｏｏｋやツイッター、ＭＳＮ等が用いられている。これらソーシャルネットワークサイトを利用するには、ユーザは予め登録を行い、サイトの登録ユーザとなる必要がある。すべての登録ユーザは連絡先リストまたはお友達リストを持ち、連絡先リストの相手とダイレクトにチャットを含む様々な連絡を行うことができる。すべての登録ユーザは、他のユーザが閲覧できるように、サイトへ書き込みをしたり、図のほか、動画や音声を含む様々なマルチメディア情報をアップロードしたりすることが可能である。自身がアップロードしたマルチメディア情報について、登録ユーザは設定を行うことで、権限のあるユーザにのみ閲覧可能とするか、すべてのユーザに閲覧可能とするかを規定可能である。
【０００４】
現在、携帯電話やパソコンに広く使用されている名刺認識技術は、画像処理や光学文字認識の原理を用いて、カメラ撮影やスキャニングにより得られた名刺画像を自動的に処理・認識する。そして、自動で名刺の氏名、電話番号、Ｅメール等の有用な情報を取り込んでアドレス帳に追加することで、名刺に記載されている連絡先情報を電子機器へ入力するにあたり、利便性を大幅に高めている。一例としては、多普達社の携帯電話Ｔｏｕｃｈ  Ｄｉａｍｏｎｄに予めインストールされている名刺認識ソフトがあげられる。
【０００５】
名刺の大きさや材質によって、名刺の持ち主が名刺に印刷可能な情報の量やその記載形式は制限される。例えば、会社の経営者は自社の業務紹介を長々と名刺に印刷するわけにはいかず、動画や音声情報を名刺に掲載することもできない。よって、名刺に掲載される伝達情報は大きく制限されてしまう。
【発明の概要】
【発明が解決しようとする課題】
【０００６】
本発明は、名刺では決まった数やサイズの文字や図でしか情報を伝達できないとの制限を克服し、名刺に掲載される伝達情報量および情報の表現形式を拡大可能な、連絡先情報を入力し、ネットワークを介して相手方が提供する情報を取得する方法を提供することを解決すべき課題とする。
【課題を解決するための手段】
【０００７】
上記の技術的課題を解決するために、本発明は以下の技術方案を用いた。
【０００８】
連絡先情報を入力しネットワークを介して相手方が提供する情報を取得する方法であって、ユーザＡがユーザＢの連絡先情報を入手するステップＡと、ユーザＡがユーザＢの連絡先情報をアドレス帳に入力するステップＢと、ユーザＡがユーザＢの連絡先情報をもとに、連絡先情報サーバーに検索要求を送信するステップＣと、連絡先情報サーバーが、ユーザＡにより提供された連絡先情報をもとに、ユーザＢによって当該サーバーに保存された、前記連絡先情報に関連付けられた情報を検出可能か否かを検索し、検出可能な場合はステップＥに進み、検出不可能な場合はステップＦに進むステップＤと、連絡先情報サーバーが、ユーザＢによって当該ウェブサイト上に保存された、前記連絡先情報に関連付けられた情報をユーザＡにフィードバックするステップＥと、連絡先情報サーバーが、前記連絡先情報に関連付けられた提供可能な情報は存在しない旨をフィードバックするステップＦと、終了のためのステップＧとを含む。
【０００９】
本発明の望ましい方案として、前記ステップＢにおいて、ユーザＡがユーザＢの連絡先情報をアドレス帳に入力する方法は、ユーザＡがユーザＢの連絡先情報をダイレクトに手入力する方法と、ユーザＡがユーザＢの連絡先情報を含む画像を撮影またはスキャンし、文字認識ソフトを用いて当該画像中の情報を取り出す方法のいずれかである。
【００１０】
本発明の望ましい方案として、前記ステップＤにおいて、連絡先情報サーバーは、ユーザＡにより提供された連絡先情報をもとに、ユーザＢによって当該サーバーに保存された、前記連絡先情報に関連付けられたマルチメディア情報を検出可能か否かを検索し、連絡先情報サーバーは、ユーザＢが連絡先情報サーバーの登録ユーザであるか否か、ユーザＢが当該名刺に関連付けられた情報を保存しているか否か、ユーザＢが要求を提示した他のユーザにこれら情報の取得を許可するか否かを判断する必要がある。
【００１１】
本発明の望ましい方案として、前記連絡先情報サーバーによるユーザＢの検索方法は、連絡先情報サーバーの登録ユーザによって保存された一枚の名刺の情報を取得するステップＤ１と、ユーザＡにより提供された名刺の文字情報に含まれる氏名、電話番号、携帯電話番号、ファックス番号、Ｅメール情報と、前記名刺の情報における対応項目の情報とをひとつずつ比較し、情報が完全に一致する項目数と、文字がわずかに一致しないだけの項目数を算出するステップＤ２と、ユーザＡによって提供された名刺の文字情報が前記登録ユーザによって保存された名刺情報に相当するか否かを判断し、相当する場合はステップＤ４に進み、相当しない場合はステップＤ７に進むステップＤ３と、当該名刺を保存したユーザが、当該名刺に関連付けられたマルチメディア情報を保存しているか否かを判断して、保存していればステップＤ５に進み、保存していなければステップＤ８に進むステップＤ４と、当該名刺を保存したユーザが、要求を提示したユーザＡにこれら情報の取得を許可するか否かを判断して、許可する場合にはステップＤ６に進み、許可しない場合はステップＤ８に進むステップＤ５と、名刺の持ち主によって当該ウェブサイト上に保存された、当該名刺に関連付けられたマルチメディア情報が検出された旨をフィードバックし、終了のためにステップＤ９に進むステップＤ６と、当該ウェブサイトのすべての登録ユーザによって保存された名刺情報について検索が行われたか否かを判断し、すべての検索が行われた場合はステップＤ８に進み、すべての検索が行われていない場合はステップＤ１に戻って、当該ウェブサイトにおける次の登録ユーザによって保存された名刺情報を取得、比較するステップＤ７と、検索されなかった旨をフィードバックし、終了のためにステップＤ９に進むステップＤ８と、終了のためのステップＤ９とを含む。
【００１２】
本発明の望ましい方案として、前記ステップＤ２における文字がわずかに一致しないだけとは、一致しない文字数が当該項目における総文字数の８分の１を超えないことをいう。
【００１３】
本発明の望ましい方案として、前記ステップＤ３において、ユーザＡにより提供された名刺の文字情報が前記登録ユーザによって保存された名刺情報に相当するか否かを判断する方法としては、完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には前記登録ユーザによって保存された名刺情報に相当しないと認定される。
【００１４】
本発明の望ましい方案として、前記ステップＥにおいて、連絡先情報サーバーは、名刺の持ち主であるユーザＢによって当該ウェブサイト上に保存された、当該名刺に関連付けられたマルチメディア情報をユーザＡにフィードバックし、前記マルチメディア情報をフィードバックする方法としては、ユーザＡが前記マルチメディア情報に関連したマルチメディアファイルをすべてダウンロードすることによって、ネットワークに接続しなくとも情報を閲覧可能とするか、あるいは、前記マルチメディア情報に関連したネットワークリンクをユーザＡにフィードバックし、ユーザＡがネットワークと接続しなければ情報を閲覧できないようにする。
【００１５】
連絡先情報を入力しネットワークを介して相手方が提供する情報を取得する方法であって、ユーザＡがユーザＢの名刺を入手するステップ１０１と、ユーザＡがユーザＢの名刺の情報をアドレス帳に入力するステップ１０２と、ユーザＡがユーザＢの名刺中の文字情報に基づき、相手情報を保持するウェブサイトｓｉｔｅＣのサーバーに検索要求を送信するステップ１０３と、相手情報を保持するウェブサイトｓｉｔｅＣのサーバーが、ユーザＡにより提供された名刺の文字情報をもとに、名刺の持ち主であるユーザＢによって当該ウェブサイトに保存された、当該名刺に関連付けられたマルチメディア情報を検出可能か否かを検索し、検出可能な場合はステップ１０５に進み、検出不可能な場合はステップ１０６に進むステップ１０４と、ウェブサイトｓｉｔｅＣのサーバーが、名刺の持ち主であるユーザＢによって当該ウェブサイト上に保存された、当該名刺に関連付けられたマルチメディア情報をユーザＡにフィードバックするステップ１０５と、ウェブサイトｓｉｔｅＣのサーバーが、前記名刺に関連付けられた提供可能な情報は存在しない旨をフィードバックするステップ１０６と、終了のためのステップ１０７とを含む。
【００１６】
本発明の望ましい方案として、前記ステップ１０２において、ユーザＡがユーザＢの名刺の情報をアドレス帳に入力する方法としては、ユーザＡがユーザＢの名刺の情報をダイレクトに手入力する方法と、ユーザＡがユーザＢの名刺画像を撮影し、名刺認識ソフトを用いてユーザＢの名刺画像中の情報を取り出す方法のいずれかである。
【００１７】
本発明の望ましい方案として、前記ステップ１０４において、相手情報を保持するウェブサイトｓｉｔｅＣのサーバーは、ユーザＡによって提供された名刺の文字情報をもとに、名刺の持ち主であるユーザＢによって当該ウェブサイトに保存された、当該名刺に関連付けられたマルチメディア情報を検出可能か否かを検出するとともに、ウェブサイトｓｉｔｅＣのサーバーは、名刺の持ち主であるユーザＢがウェブサイトｓｉｔｅＣの登録ユーザであるか否か、名刺の持ち主であるユーザＢが当該名刺に関連付けられた情報を保存しているか否か、名刺の持ち主であるユーザＢが要求をしてきたユーザＡにこれら情報の取得を許可するか否かを判断する必要がある。
【００１８】
本発明の望ましい方案として、前記ウェブサイトｓｉｔｅＣのサーバーによるユーザＢの検索方法は、当該ウェブサイトの登録ユーザによって保存された一枚の名刺の情報を取得するステップ２０１と、ユーザＡにより提供された名刺の文字情報に含まれる氏名、電話番号、携帯電話番号、ファックス番号、Ｅメール情報と、前記名刺の情報における対応項目の情報とをひとつずつ比較し、何項目の情報が完全に一致し、何項目の情報が文字がわずかに一致しないだけなのかを把握するステップ２０２と、ユーザＡにより提供された名刺の文字情報が前記登録ユーザによって保存された名刺情報に相当するか否かを判断し、相当する場合はステップ２０４に進み、相当しない場合はステップ２０７に進むステップ２０３と、当該名刺を保存したユーザが、当該名刺に関連付けられたマルチメディア情報を保存しているか否かを判断し、保存していればステップ２０５に進み、保存していなければステップ２０８に進むステップ２０４と、当該名刺を保存したユーザが、要求を提示したユーザＡにこれら情報の取得を許可するか否かを判断して、許可する場合にはステップ２０６に進み、許可しない場合はステップ２０８に進むステップ２０５と、名刺の持ち主によって当該ウェブサイト上に保存された、当該名刺に関連付けられたマルチメディア情報が検出された旨をフィードバックし、終了のためにステップ２０９に進むステップ２０６と、当該ウェブサイトのすべての登録ユーザによって保存された名刺情報について検索が行われたか否かを判断し、すべての検索が行われた場合はステップ２０８に進み、すべての検索が行われていない場合はステップ２０１に戻り、当該ウェブサイトにおける次の登録ユーザによって保存された名刺情報を取得、比較するステップ２０７と、検索されなかった旨をフィードバックし、終了のためにステップ２０９に進むステップ２０８と、終了のためのステップ２０９とを含む。
【００１９】
本発明の望ましい方案として、前記ステップ２０２における文字がわずかに一致しないだけとは、一致しない文字数が当該項目における総文字数の８分の１を超えないことであり、前記ステップ２０３において、ユーザＡにより提供された名刺の文字情報が前記登録ユーザによって保存された名刺情報に相当するか否かを判断する方法としては、完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には、前記登録ユーザによって保存された名刺情報に相当しないと認定される。
【００２０】
本発明の望ましい方案として、前記ステップ１０５において、ウェブサイトｓｉｔｅＣのサーバーは、名刺の持ち主であるユーザＢによって当該ウェブサイト上に保存された、当該名刺に関連付けられたマルチメディア情報をユーザＡにフィードバックし、当該マルチメディア情報をフィードバックする方法としては、ユーザＡが前記マルチメディア情報に関連したマルチメディアファイルをすべてダウンロードすることによって、ネットワークに接続しなくとも情報を閲覧可能とするか、あるいは、前記マルチメディア情報に関連したネットワークリンクをユーザＡにフィードバックし、ユーザＡがネットワークと接続しなければ情報を閲覧できないようにする。
【００２１】
連絡先情報を入力しネットワークを介して相手方が提供する情報を取得する方法であって、ユーザＡがユーザＢの連絡先情報を入手するステップＡと、ユーザＡがユーザＢの連絡先情報をアドレス帳に入力するステップＢと、ユーザＡがユーザＢの連絡先情報をもとに、連絡先情報サーバーに検索要求を送信するステップＣと、連絡先情報サーバーが、ユーザＡにより提供された連絡先情報をもとに、ユーザＢによって当該サーバーに保存された、前記連絡先情報に関連付けられた情報を検出可能か否かを検索し、検出可能な場合は関連情報をユーザＡにフィードバックし、検出不可能な場合はユーザＡに関連情報が存在しない旨を通知するステップＤ’を含む。
【００２２】
本発明の実現には、相手情報を保持する機能を持つウェブサイトが必要である。当該ウェブサイトの登録ユーザは、ウェブサイト上に名刺の画像や文字情報を含む自身の名刺情報を保存することができる。当該ウェブサイトの登録ユーザは、さらに、文字、図、動画、音声を含む各種マルチメディア情報を、保存した自身の名刺情報に関連付けて保存することができる。当該ウェブサイトの登録ユーザは、これらマルチメディア情報に関する権限を設定し、指定したユーザのみにこれらの情報を取得または閲覧可能とするか、すべてのユーザに対しこれら情報の取得または閲覧を可能とするかを規定できる。名刺の持ち主は当該ウェブサイトの登録ユーザである。名刺を入力するユーザは当該ウェブサイトの登録ユーザであっても、当該ウェブサイトの登録ユーザでなくてもよい。
【発明の効果】
【００２３】
本発明では、次の有益な効果を得られる。すなわち、連絡先情報を入力し、ネットワークを介して相手方が提供する情報を取得する本発明の方法では、名刺を入手したユーザは、名刺情報を入力すると特定のウェブサイトに接続され、名刺の持ち主によって予め当該ウェブサイトに保存された、当該名刺に関連付けられたマルチメディア情報を取得可能となる。当該方法によれば、名刺では決まった数やサイズの文字、図でしか情報を伝達できないとの制限が克服され、名刺に掲載される伝達情報量および情報の表現形式が拡大される。
【図面の簡単な説明】
【００２４】
【図１】図１は、本発明の方法を示すフローチャートである。
【図２】図２は、本発明の方法におけるステップ１０４を示すフローチャートである。
【発明を実施するための形態】
【００２５】
以下に、図面を参照して本発明の望ましい実施例を詳細に説明する。
【実施例１】
【００２６】
図１を参照して、本発明は、連絡先情報（Ｃｏｎｔａｃｔ  Ｉｎｆｏｒｍａｔｉｏｎ）を入力し、ネットワークを介して相手方（Ｃｏｎｔａｃｔ）が提供する情報を取得する方法を開示する。本方法は、以下のステップを含む。
【００２７】
［ステップ１０１］ユーザＡがユーザＢの名刺を入手する。
ユーザＡがユーザＢの名刺を入手するには、ビジネス会議や友人との集まりにおける名刺交換、商品営業時の名刺配布など多くのルートがある。
【００２８】
［ステップ１０２］ユーザＡがユーザＢの名刺の情報をアドレス帳に入力する。
ユーザＡがユーザＢの名刺の情報をアドレス帳に入力する方法としては、ユーザＡがユーザＢの名刺の情報をダイレクトに手入力する方法と、ユーザＡがユーザＢの名刺画像を撮影し、名刺認識ソフトを用いてユーザＢの名刺画像中の情報を自動で認識し、取り出す方法がある。
【００２９】
［ステップ１０３］ユーザＡはユーザＢの名刺中の文字情報に基づき、相手情報を保持するウェブサイトｓｉｔｅＣのサーバーに検索要求を送信する。ウェブサイトｓｉｔｅＣは相手情報を保持する機能を有する。当該ウェブサイトの登録ユーザは、ウェブサイト上に名刺の画像や文字情報を含む自身の名刺情報を保存することができる。当該ウェブサイトの登録ユーザは、さらに、文字、図、動画、音声を含む各種マルチメディア情報を、保存した自身の名刺情報に関連付けて保存することができる。
【００３０】
［ステップ１０４］相手情報を保持するウェブサイトｓｉｔｅＣのサーバーは、ユーザＡにより提供された名刺の文字情報をもとに、名刺の持ち主であるユーザＢによって当該ウェブサイトに保存された、当該名刺に関連付けられたマルチメディア情報を検出可能か否かを検索する。そして、ＹＥＳの場合にはステップ１０５に進み、ＮＯの場合はステップ１０６に進む。
【００３１】
ステップ１０４において、相手情報を保持するウェブサイトｓｉｔｅＣのサーバーは、ユーザＡによって提供された名刺の文字情報をもとに、名刺の持ち主であるユーザＢによって当該ウェブサイトに保存された、当該名刺に関連付けられたマルチメディア情報を検出可能か否かを検索する。ここで、ウェブサイトｓｉｔｅＣのサーバーは、名刺の持ち主であるユーザＢがウェブサイトｓｉｔｅＣの登録ユーザであるか否か、名刺の持ち主であるユーザＢが当該名刺に関連付けられた情報を保存しているか否か、名刺の持ち主であるユーザＢが要求を提示したユーザＡにこれら情報の取得を許可するか否かを判断する必要がある。
【００３２】
図２を参照して、図２はステップ１０４の実現方法として、具体的に以下のステップを示している。
【００３３】
ステップ２０１では、当該ウェブサイトの登録ユーザによって保存された一枚の名刺の情報を取得する。
【００３４】
ステップ２０２では、ユーザＡにより提供された名刺の文字情報に含まれる氏名、電話番号、携帯電話番号、ファックス番号、Ｅメール等の情報と、前記名刺の情報における対応項目の情報とをひとつずつ比較し、何項目の情報が完全に一致し、何項目の情報が文字がわずかに一致しないだけなのかを把握する。なお、前記の「文字がわずかに一致しないだけ」とは、一致しない文字数が当該項目における総文字数の８分の１を超えないことをいう。
【００３５】
ステップ２０３では、ユーザＡにより提供された名刺の文字情報が前記登録ユーザによって保存された名刺情報に相当するか否かを判断し、ＹＥＳであればステップ２０４に進み、ＮＯであればステップ２０７に進む。うち、ユーザＡにより提供された名刺の文字情報が前記登録ユーザによって保存された名刺情報に相当するか否かを判断する方法としては、完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には、前記登録ユーザによって保存された名刺情報に相当しないと認定される。
【００３６】
ステップ２０４では、当該名刺を保存したユーザが、当該名刺に関連付けられたマルチメディア情報を保存しているか否かを判断する。そして、ＹＥＳの場合にはステップ２０５に進み、ＮＯの場合はステップ２０８に進む。
【００３７】
ステップ２０５では、当該名刺を保存したユーザが要求を提示したユーザＡにこれら情報の取得を許可するか否かを判断する。そして、ＹＥＳの場合にはステップ２０６に進み、ＮＯの場合はステップ２０８に進む。
【００３８】
ステップ２０６では、名刺の持ち主によって当該ウェブサイト上に保存された、当該名刺に関連付けられたマルチメディア情報が検出された旨をフィードバックし、終了のためにステップ２０９に進む。
【００３９】
ステップ２０７では、当該ウェブサイトのすべての登録ユーザによって保存された名刺情報について検索が行われたか否かを判断し、ＹＥＳであればステップ２０８に進む。また、ＮＯであればステップ２０１に戻り、当該ウェブサイトにおける次の登録ユーザによって保存された名刺情報を取得、比較する。
【００４０】
ステップ２０８では、検索されなかった旨をフィードバックし、終了のためにステップ２０９に進む。
【００４１】
ステップ２０９で終了する。
【００４２】
［ステップ１０５］ウェブサイトｓｉｔｅＣのサーバーは、名刺の持ち主であるユーザＢによってウェブサイト上に保存された、当該名刺に関連付けられたマルチメディア情報をユーザＡにフィードバックする。
【００４３】
前記ステップ１０５において、ウェブサイトｓｉｔｅＣのサーバーは、名刺の持ち主であるユーザＢによって当該ウェブサイト上に保存された、当該名刺に関連付けられたマルチメディア情報をユーザＡにフィードバックする。当該マルチメディア情報をフィードバックする方法としては、ユーザＡが前記マルチメディア情報に関連したマルチメディアファイルをすべてダウンロードすることによって、ネットワークに接続しなくとも情報を閲覧可能としてもよいし、前記マルチメディア情報に関連したネットワークリンクをユーザＡにフィードバックし、ユーザＡがネットワークと接続しなければ情報を閲覧できないようにしてもよい。
【００４４】
［ステップ１０６］ウェブサイトｓｉｔｅＣのサーバーは、前記名刺に関連付けられた提供可能な情報は存在しない旨をフィードバックする。
【００４５】
［ステップ１０７］終了する。
【００４６】
以上のように、本発明の、連絡先情報を入力し、ネットワークを介して相手方が提供する情報を取得する方法では、名刺を入手したユーザは名刺情報を入力すると特定のウェブサイトに接続され、名刺の持ち主によって予め当該ウェブサイトに保存された、当該名刺に関連付けられたマルチメディア情報を取得可能となる。当該方法によれば、名刺では限られた数の文字や限られたサイズの図でしか情報を伝達できないとの制限が克服され、名刺に掲載される伝達情報量および情報の表現形式が拡大される。
【実施例２】
【００４７】
本実施例は、連絡先情報を入力し、ネットワークを介して相手方が提供する情報を取得する方法を開示する。本方法は、以下のステップを含む。
【００４８】
［ステップＡ］ユーザＡがユーザＢの連絡先情報を入手する。
【００４９】
［ステップＢ］ユーザＡがユーザＢの連絡先情報をアドレス帳に入力する。
【００５０】
［ステップＣ］ユーザＡはユーザＢの連絡先情報をもとに、連絡先情報サーバーに検索要求を送信する。
【００５１】
［ステップＤ］連絡先情報サーバーは、ユーザＡにより提供された連絡先情報をもとに、ユーザＢによって当該サーバーに保存された、当該連絡先情報に関連付けられた情報を検出可能か否かを検索する。そして、ＹＥＳならステップＥに進み、ＮＯならステップＦに進む。
【００５２】
［ステップＥ］連絡先情報サーバーは、ユーザＢによって当該ウェブサイト上に保存された、当該連絡先情報に関連付けられた情報をユーザＡにフィードバックする。
【００５３】
［ステップＦ］連絡先情報サーバーは、前記連絡先情報に関連付けられた提供可能な情報は存在しない旨をフィードバックする。
【００５４】
［ステップＧ］終了する。
【００５５】
前記ステップＢにおいて、ユーザＡがユーザＢの連絡先情報をアドレス帳に入力する方法としては、ユーザＡがユーザＢの連絡先情報をダイレクトに手入力する方法と、ユーザＡがユーザＢの連絡先情報を含む画像を撮影またはスキャンし、文字認識ソフトを用いて当該画像中の情報を取り出す方法のいずれかである。
【００５６】
前記ステップＤにおいて、連絡先情報サーバーは、ユーザＡにより提供された連絡先情報をもとに、ユーザＢによって当該サーバーに保存された、前記連絡先情報に関連付けられたマルチメディア情報を検出可能か否かを検索する。ここで、連絡先情報サーバーは、ユーザＢが連絡先情報サーバーの登録ユーザであるか否か、ユーザＢが当該名刺に関連付けられた情報を保存しているか否か、ユーザＢが要求を提示した他のユーザにこれら情報の取得を許可するか否かを判断する必要がある。
【００５７】
本実施例では、前記連絡先情報サーバーによるユーザＢの検索方法として以下のステップを含む。
【００５８】
ステップＤ１では、連絡先情報サーバーの登録ユーザによって保存された一枚の名刺の情報を取得する。
【００５９】
ステップＤ２では、ユーザＡにより提供された名刺の文字情報に含まれる氏名、電話番号、携帯電話番号、ファックス番号、Ｅメール情報と、前記名刺の情報における対応項目の情報とをひとつずつ比較し、情報が完全に一致する項目数と、文字がわずかに一致しないだけの項目数を算出する。
【００６０】
ステップＤ３では、ユーザＡにより提供された名刺の文字情報が前記登録ユーザによって保存された名刺情報に相当するか否かを判断し、ＹＥＳであればステップＤ４に進み、ＮＯであればステップＤ７に進む。
【００６１】
ステップＤ４では、当該名刺を保存したユーザが、当該名刺に関連付けられたマルチメディア情報を保存しているか否かを判断する。そして、ＹＥＳであればステップＤ５に進み、ＮＯであればステップＤ８に進む。
【００６２】
ステップＤ５では、当該名刺を保存したユーザが、要求を提示したユーザＡにこれら情報の取得を許可するか否かを判断する。そして、ＹＥＳの場合にはステップＤ６に進み、ＮＯの場合はステップＤ８に進む。
【００６３】
ステップＤ６では、名刺の持ち主によって当該ウェブサイト上に保存された、当該名刺に関連付けられたマルチメディア情報が検出された旨をフィードバックし、終了のためにステップＤ９に進む。
【００６４】
ステップＤ７では、当該ウェブサイトのすべての登録ユーザによって保存された名刺情報について検索が行われたか否かを判断し、ＹＥＳであればステップＤ８に進む。また、ＮＯであればステップＤ１に戻り、当該ウェブサイトにおける次の登録ユーザによって保存された名刺情報を取得、比較する。
【００６５】
ステップＤ８では、検索されなかった旨をフィードバックし、終了のためにステップＤ９に進む。
【００６６】
ステップＤ９で終了する。
【００６７】
なお、前記ステップＤ２の「文字がわずかに一致しないだけ」とは、一致しない文字数が当該項目における総文字数の８分の１を超えないことをいう。
【００６８】
また、前記ステップＤ３において、ユーザＡにより提供された名刺の文字情報が前記登録ユーザによって保存された名刺情報に相当するか否かを判断する方法としては、完全に一致する情報項目数が情報項目総数の半分を超える場合、あるいは少なくとも１項目の情報が完全に一致し、かつ、対応するすべての情報について文字がわずかに一致しないだけである場合、ユーザＡによって提供された名刺の文字情報は前記登録ユーザによって保存された名刺情報に相当すると認定され、上記条件に当てはまらない場合には、前記登録ユーザによって保存された名刺情報に相当しないと認定される。
【００６９】
前記ステップＥにおいて、連絡先情報サーバーは、名刺の持ち主であるユーザＢによって当該ウェブサイト上に保存された、当該名刺に関連付けられたマルチメディア情報をユーザＡにフィードバックする。当該マルチメディア情報をフィードバックする方法としては、ユーザＡが前記マルチメディア情報に関連したマルチメディアファイルをすべてダウンロードすることによって、ネットワークに接続しなくとも情報を閲覧可能としてもよいし、あるいは、前記マルチメディア情報に関連したネットワークリンクをユーザＡにフィードバックし、ユーザＡがネットワークと接続しなければ情報を閲覧できないようにしてもよい。
【００７０】
なお、本発明における記載および応用は説明のためのものであり、本発明の範囲を上記実施例に限定する意図はない。また、上記で開示した実施例は変形および変更が可能であり、当業者にとって、実施例の置き換えや等価の各部材は公知である。当業者にとって、本発明は、その趣旨または本質的特徴を逸脱しないことを前提に、他の形式、構造、配置、割合、そして他のモジュール、材料および部品の使用によって実現可能であることは明らかである。よって、本発明の範囲と趣旨を逸脱しなければ、上記で開示した実施例の変形および変更が可能である。
【図１】
2013540301.tif 000003
【図２】
2013540301.tif 000004
【国際調査報告】
2013540301.tif 000005
2013540301.tif 000006
2013540301.tif 000007
2013540301.tif 000008
2013540301.tif 000009
2013540301.tif 000010
2013540301.tif 000011
2013540301.tif 000012